(57)【要約】      （修正有）【課題】機能性に優れた複合型靴形状保持具を提供する。【解決手段】複合型靴形状保持具１は、基部１０と、開口部２０と、ヘラ部３０とを有する。複合型靴形状保持具１は、銅又は銅を主成分とする金属（銅合金）により形成された鋳物であり、基部と、開口部と、ヘラ部とが一体的に形成される。靴の踵部分とつま先部分とを押さえるように、靴の内部に配置され、靴の形状を保持するシューズキーパー（いわゆるシューキーパー）として用いることができる。【選択図】図１
2020127601.tif 000002
【特許請求の範囲】
【請求項１】
シューキーパー本体と、
前記シューキーパー本体に設けられた取っ手部と
を有し、
前記シューキーパー本体及び前記取っ手部は、金属鋳物として一体形成されている
複合型靴形状保持具。
【請求項２】
前記シューキーパー本体及び前記取っ手部は、銅合金又はアルミニウム合金の鋳物として一体成形されてなる
請求項１に記載の複合型靴形状保持具。
【請求項３】
前記シューキーパー本体は、板状の銅合金であり、
前記シューキーパー本体に設けられた開口部
をさらに有する請求項２に記載の複合型靴形状保持具。
【請求項４】
前記取っ手部は、靴べらとして用いられるように幅方向に湾曲した平板である
請求項３に記載の複合型靴形状保持具。
【請求項５】
前記シューキーパー本体の表面は、一部のみが磨かれてなる
請求項４に記載の複合型靴形状保持具。
【発明の詳細な説明】
【技術分野】
【０００１】
本発明は、複合型靴形状保持具に関するものである。
【背景技術】
【０００２】
例えば、特許文献１には、履物内部に挿入される大きさ及び形状に形成した金属板外面に銅被膜を略均一にコーティングした履物用銅コーティング板が開示されている。
【先行技術文献】
【特許文献】
【０００３】
【特許文献１】実用新案登録第３１３０５１５号
【発明の概要】
【発明が解決しようとする課題】
【０００４】
本発明は、機能性に優れた複合型靴形状保持具を提供することを目的とする。
【課題を解決するための手段】
【０００５】
本発明に係る複合型靴形状保持具は、シューキーパー本体と、前記シューキーパー本体に設けられた取っ手部とを有し、前記シューキーパー本体及び前記取っ手部は、金属鋳物として一体形成されている。
【０００６】
好適には、前記シューキーパー本体及び前記取っ手部は、銅合金又はアルミニウム合金の鋳物として一体成形されてなる。
【０００７】
好適には、前記シューキーパー本体は、板状の銅合金であり、前記シューキーパー本体に設けられた開口部をさらに有する。
【０００８】
好適には、前記取っ手部は、靴べらとして用いられるように幅方向に湾曲した平板である。
【０００９】
好適には、前記シューキーパー本体の表面は、一部のみが磨かれてなる。
【発明の効果】
【００１０】
本発明によれば、複数の利用場面で使用することができる。
【図面の簡単な説明】
【００１１】
【図１】実施形態における複合型靴形状保持具１の斜視図である。
【図２】立てた状態の複合型靴形状保持具１を例示する図である。
【図３】靴の内部に配置した複合型靴形状保持具１を例示する図である。
【図４】扉を固定した状態の複合型靴形状保持具１を例示する図である。
【図５】靴を履く動作時に用いた複合型靴形状保持具１を例示する図である。
【発明を実施するための形態】
【００１２】
以下、本発明に係る実施形態を、図面を参照して説明する。ただし、本発明の範囲は、図示例に限定されるものではない。
図１は、実施形態における複合型靴形状保持具１の斜視図である。
図１に例示するように、複合型靴形状保持具１は、板状基部１０と、開口部２０と、ヘラ部３０とを有する。複合型靴形状保持具１は、銅又は銅を主成分とする金属（銅合金）により形成された鋳物であり、板状基部１０と、開口部２０と、ヘラ部３０とが一体的に形成される。また、複合型靴形状保持具１は、砂型鋳造により形成された鋳物であるため、砂型に使用する砂の粒径に応じて、表面粗さを適宜変更することができる。
【００１３】
板状基部１０は、銅合金で形成され、円弧状の基端１０Ｂから先端１０Ａに向かって先細りに形成された平板である。板状基部１０は、表面１０Ｘ及び裏面１０Ｙにおいて同じ程度の表面粗さであり、かつ、靴の内部に挿入できる大きさに形成されている。板状基部１０における先端１０Ａから基端１０Ｂまでの長さは、例えば靴のサイズが約２２ｃｍ以上３０ｃｍ以下の各サイズに合わせて形成することができる。なお、本例の板状基部１０の長さは、２３．２ｃｍであり、２３ｃｍ以上２３．５ｃｍ以下程度の靴のサイズを想定した大きさである。また、板状基部１０の厚みは、３ｍｍ以上５ｍｍ以下であり、本例の厚みは約４ｍｍである。板状基部１０は、本発明に係るシューキーパー本体の一例である。
【００１４】
開口部２０は、板状基部１０の板面に形成され、板状基部１０の板厚方向に貫通した開口である。開口部２０の数は、複数個設けてもよいし、単数個設けてもよい。また、開口部２０の形成位置は、板状基部１０の板面全体に設けてもよいし、板状基部１０の板面の一部に設けてもよい。なお、本例の開口部２０は、ヘラ部３０を接続する板状基部１０の基端１０Ｂ側に１つ設けている。開口部２０を設けることにより、複合型靴形状保持具１を靴の内部に配置した状態において、板状基部１０の表面側の領域と裏面の領域との空気を循環させることができる。
【００１５】
ヘラ部３０は、銅合金で形成され、先端形状に丸みをつけると共に、幅方向に湾曲した平板である。ヘラ部３０は、凸曲面側を板状基部１０の先端１０Ａ側に、凹曲面側を板状基部１０の基端１０Ｂ側に向けた状態で、板状基部１０の基端１０Ｂの位置に接続されている。ヘラ部３０の高さは、６．５ｃｍ以上７．５ｃｍ以下であり、本例の高さは約７ｃｍである。また、ヘラ部３０は、少なくとも凹曲面において、引っ掛かりのない程度の滑らかな表面形状に形成されている。ヘラ部３０は、本発明に係る取っ手部の一例である。
【００１６】
図２は、立てた状態の複合型靴形状保持具１を例示する図である。
図２に例示するように、複合型靴形状保持具１は、板状基部１０の基端１０Ｂとヘラ部３０とを設置面に接触させることにより、板状基部１０を設置面に対して立てた状態で置くことができる。これにより、複合型靴形状保持具１を自立させることができる。
【００１７】
図３は、靴の内部に配置した複合型靴形状保持具１を例示する図である。
図３に例示するように、複合型靴形状保持具１は、靴の踵部分とつま先部分とを押さえるように、靴の内部に配置され、靴の形状を保持するシューズキーパー（いわゆるシューキーパー）として用いることができる。複合型靴形状保持具１は、銅合金の鋳物であるため、アッパーやソールの反りである履き癖を伸ばす程度の重さを備える。使用者は、靴の内部に複合型靴形状保持具１を配置することにより、靴の履き癖を伸ばすことができる。加えて、複合型靴形状保持具１の銅の殺菌作用により、靴内部の消臭効果や除菌効果が期待できる。
また、ヘラ部３０は、靴の内部に配置した状態の複合型靴形状保持具１において、靴の踵部分の高さより高く形成されており、靴の履き口から突出している。これにより、使用者は、靴の内部に配置した複合型靴形状保持具１を引き抜く場合において、履き口から突出したヘラ部３０を引き上げやすくなる。
また、開口部２０は、靴の内部に複合型靴形状保持具１を配置した状態において、板状基部１０の表面側の領域と裏面の領域と接続し、空気を循環させることができる。
このように、使用者は、複合型靴形状保持具１をシューズキーパーとして用いることができる。
【００１８】
図４は、扉を固定した状態の複合型靴形状保持具１を例示する図である
図４（Ａ）に例示するように、複合型靴形状保持具１は、ドアストッパーとして用いることができる。複合型靴形状保持具１は、扉と床面との隙間に板状基部１０を挿入し、扉にヘラ部３０を接触させた状態で配置する。複合型靴形状保持具１は、銅合金の鋳物であり、扉の開閉動作を制限する程度の重さを備える。これにより、使用者は、配置した複合型靴形状保持具１により、扉の開閉動作を制限することができる。なお、ドアストッパーとして使用する場合には、図４（Ｂ）に例示するように、複合型靴形状保持具１をひっくり返した状態で、板状基部１０の先端を、扉と床面との隙間に差し込んでもよい。
また、複合型靴形状保持具１は、板状基部１０の裏面に、床面との摩擦力を増加させる素材や加工を設けてもよい。これにより複合型靴形状保持具１は、床面に対する固定力を上げることができ、すべり止め効果が期待できる。よって、使用者は、複合型靴形状保持具１により、扉の開閉動作をより制限することができる。また、複合型靴形状保持具１は、床面との摩擦力を増加させために自重を増加することなく、扉の開閉動作をより制限することができる。このように、使用者は、複合型靴形状保持具１をドアストッパーとして用いることができる。
【００１９】
図５は、靴を履く動作時に用いた複合型靴形状保持具１を例示する図である。
図５に例示するように、複合型靴形状保持具１は、靴べらとして用いることができる。靴を履く動作時において、使用者は、板状基部１０を持った状態で、ヘラ部３０を履き口に挿入し、ヘラ部３０の凸曲面を靴の踵部分に接触させる。次に使用者は、踵の側面に、ヘラ部３０の凹曲面を接触させ、踵を靴の内部に滑らせながら足を靴の内部に挿入する。このように、使用者は、複合型靴形状保持具１を靴べらとして用いることができる。
【００２０】
以上説明したように、本実施形態における複合型靴形状保持具１によれば、銅合金の鋳物で構成することにより、シューズキーパー、ドアストッパー、及び、靴べらとして使用することができる。なお、本例の複合型靴形状保持具１では、板状基部１０及びヘラ部３０を銅合金で一体的に形成した金属鋳物である場合を具体例としたが、アルミニウム合金で一体的に形成してもよい。
【００２１】
次に、上記実施例における変形例を説明する。なお、変形例では、上記実施例と実質的に同一の機能、構成を有する要素については、同一の符号を付することにより重複説明を省略する。
［変形例１］
上記実施例における複合型靴形状保持具１では、板状基部１０の表面１０Ｘ及び裏面１０Ｙにおける表面粗さを同じ程度にする場合を説明したが、板状基部１０の表面１０Ｘより裏面１０Ｙを粗く形成してもよい。
例えば、板状基部１０の表面１０Ｘは、靴の内部に板状基部１０が接触しても靴の内部を傷つけない程度の表面粗さであり、板状基部１０の裏面１０Ｙは、靴の内部に板状基部１０を配置した状態において、板状基部１０がずれ難い程度の表面粗さに形成してもよい。
これにより、複合型靴形状保持具１を靴の内部に配置する場合に、使用者は、板状基部１０の表面１０Ｘにより靴の内部を傷つけるとなく、靴の内部に板状基部１０を挿入することができる。また、複合型靴形状保持具１を内部に配置した靴を持ち上げる場合に、使用者は、靴のインソール表面と板状基部１０の裏面１０Ｙと間に生ずる摩擦力により、靴を僅かに傾けても、靴から複合型靴形状保持具１が抜け落ちることを防止することができる。
【００２２】
［変形例２］
上記実施例における複合型靴形状保持具１の表面全体または表面の一部に、銅又は銅を主成分とする金属（銅合金）と異なる機能性金属を担持してもよい。担持する機能性金属は、粒状または粉状のものである。ここで、機能性金属とは、耐食性、抗菌性、又は高強度性のある金属であり、例えば、チタン、錫、銀、又はこれらの合金等である。例えば、板状基部１０の裏面１０Ｙに粒状の錫合金を担持することにより、表面１０Ｘより裏面１０Ｙを粗く形成できると共に、錫の抗菌作用をさらに付加することができる。
このように、本例の複合型靴形状保持具１によれば、銅の機能性と、銅とは異なる他の金属の機能性との両方を備えることができる。
【符号の説明】
【００２３】
１      複合型靴形状保持具
１０    板状基部
２０    開口部
３０    ヘラ部
【図１】
2020127601.tif 000003
【図２】
2020127601.tif 000004
【図３】
2020127601.tif 000005
【図４】
2020127601.tif 000006
【図５】
2020127601.tif 000007